(57)【要約】【課題】網状容器の内部に充填された多数の礫体に対して効率良く灌水することが可能な屋外構築物および屋外構築物の設置構造を提供することを目的とする。【解決手段】屋外構築物１が、網目状に形成された網状容器２と、網状容器２内に充填される多数の礫体３…と、多数の礫体３…への灌水を行う灌水手段４と、を備える。そして、灌水手段４は、網状容器２の上下方向に沿って配置されるとともに水の供給源４０側に位置する本管４１と、本管４１から分岐され、網状容器２内において多数の礫体３…内に埋設されるようにして当該網状容器２の幅方向両端部間に配置される分岐管４２と、を有する。【選択図】図１
2014204685.tif 000002
【特許請求の範囲】
【請求項１】
網目状に形成された網状容器と、
前記網状容器内に充填される多数の礫体と、
前記多数の礫体への灌水を行う灌水手段と、を備えており、
前記灌水手段は、
前記網状容器の上下方向に沿って配置されるとともに水の供給源側に位置する本管と、
前記本管から分岐され、前記網状容器内において前記多数の礫体内に埋設されるようにして当該網状容器の幅方向両端部間に配置される分岐管と、を有することを特徴とする屋外構築物。
【請求項２】
請求項１に記載の屋外構築物において、
前記分岐管は、前記本管の上下方向に間隔を空けて複数設けられていることを特徴とする屋外構築物。
【請求項３】
請求項１または２に記載の屋外構築物において、
前記網状容器の上端部に植栽容器が設けられており、
前記灌水手段は、前記本管から分岐され、端部が前記植栽容器内に配置される植栽用分岐管を有することを特徴とする屋外構築物。
【請求項４】
請求項３に記載の屋外構築物において、
前記植栽容器内には、保水性能を有する保水材が設けられていることを特徴とする屋外構築物。
【請求項５】
請求項３または４に記載の屋外構築物において、
前記植栽容器の底部に排水孔が形成されていることを特徴とする屋外構築物。
【請求項６】
住宅等の建物が構築される敷地内に、請求項１〜５のいずれか一項に記載の屋外構築物が設置されてなる屋外構築物の設置構造であって、
前記屋外構築物は、前記敷地のうち、前記建物の開口部が形成された外壁に面する場所に配置されていることを特徴とする屋外構築物の設置構造。
【請求項７】
請求項６に記載の屋外構築物の設置構造において、
前記屋外構築物と前記外壁との間に、保水性能を有する保水材からなる保水床部が設けられており、
前記保水床部には、前記本管から分岐される床部用分岐管が設けられていることを特徴とする屋外構築物の設置構造。
【請求項８】
請求項６または７に記載の屋外構築物の設置構造において、
前記敷地のうち前記屋外構築物よりも、前記外壁に面する場所とは反対側に位置する屋外側の場所に、保水性能を有する保水材からなる保水床部が設けられており、
前記保水床部には、前記本管から分岐される床部用分岐管が設けられていることを特徴とする屋外構築物の設置構造。
【発明の詳細な説明】
【技術分野】
【０００１】
本発明は、外構やエクステリアとして使用される屋外構築物と、この屋外構築物の設置構造に関する。
【背景技術】
【０００２】
従来、住宅等の建物の外回りに設置され、網目状に形成された網状容器と、この網状容器の内部に充填された多数の礫体とを主体として構成された屋外構築物が知られている（特許文献１参照）。このような屋外構築物は、例えば門柱、門袖、塀、門柱、花壇、ベンチなど、住宅等における外構やエクステリアとして使用される。
また、このような屋外構築物によれば、網目から見える石が持つ風合いにより、デザイン的に優れた外構やエクステリアを提供することができる。
【先行技術文献】
【特許文献】
【０００３】
【特許文献１】特開２０１１−０８３２００号公報
【発明の概要】
【発明が解決しようとする課題】
【０００４】
ところで、網状容器に充填される礫体は、例えば火山岩を砕いた軽石や他の採石等からなり、多孔質で吸水性（保水性）に優れる。このため、夏場等に水を撒いて礫体を濡らすことで、その気化熱により屋外構築物の周囲の温度を下げることができる。延いては、特に夏場等において比較的温度の低い外気を住宅の内部に効率良く取り入れることができるので、快適な居住環境を形成できる、という利点がある。
ところが、礫体は一つ一つの形状が異なるため、強く水を撒くと周囲に水が飛び散ってしまう場合がある。一方、それを防ぐために少量ずつ水を撒くと、容器内の中央側まで水が染み渡りにくく、効率が良くない場合がある。
【０００５】
本発明の課題は、網状容器の内部に充填された多数の礫体に対して効率良く灌水することが可能な屋外構築物および屋外構築物の設置構造を提供することを目的とする。
【課題を解決するための手段】
【０００６】
請求項１に記載の発明は、屋外構築物１であって、例えば図１〜図５に示すように、網目状に形成された網状容器２と、
前記網状容器２内に充填される多数の礫体３…と、
前記多数の礫体３…への灌水を行う灌水手段４と、を備えており、
前記灌水手段４は、
前記網状容器２の上下方向に沿って配置されるとともに水の供給源４０側に位置する本管４１と、
前記本管４１から分岐され、前記網状容器２内において前記多数の礫体３…内に埋設されるようにして当該網状容器２の幅方向両端部間に配置される分岐管４２と、を有することを特徴とする。
【０００７】
請求項１に記載の発明によれば、前記灌水手段４が、前記本管４１と、前記本管４１から分岐され、前記網状容器２内において前記多数の礫体３…内に埋設されるようにして当該網状容器２の幅方向両端部間に配置される分岐管４２と、を有するので、この分岐管４２から前記多数の礫体３…に向けて水を吐出することで前記網状容器２の内側から灌水を行うことができる。これによって、前記多数の礫体３…に水が当たっても周囲に飛び散りにくくなるとともに、前記網状容器２の中央側から前記多数の礫体３…に水を染み渡らせることができ、効率が良く灌水することが可能となる。
【０００８】
請求項２に記載の発明は、請求項１に記載の屋外構築物１において、
前記分岐管４２は、前記本管４１の上下方向に間隔を空けて複数設けられていることを特徴とする。
【０００９】
請求項２に記載の発明によれば、前記分岐管４２が、前記本管４１の上下方向に間隔を空けて複数設けられているので、屋外構築物１の上下方向にわたって、延いては前記多数の礫体３…に対して全体的に水を染み渡らせることができ、より効率が良くなる。
【００１０】
請求項３に記載の発明は、請求項１または２に記載の屋外構築物１において、
前記網状容器２の上端部に植栽容器６が設けられており、
前記灌水手段４は、前記本管４１から分岐され、端部が前記植栽容器６内に配置される植栽用分岐管４３を有することを特徴とする。
【００１１】
請求項３に記載の発明によれば、前記灌水手段４が、前記本管４１から分岐され、端部が前記植栽容器６内に配置される植栽用分岐管４３を有するので、この植栽用分岐管４３によって前記植栽容器６内に確実に灌水できる。
【００１２】
請求項４に記載の発明は、請求項３に記載の屋外構築物１において、
前記植栽容器６内には、保水性能を有する保水材７が設けられていることを特徴とする。
【００１３】
請求項４に記載の発明によれば、前記植栽容器６内に、保水性能を有する保水材７が設けられているので、前記植栽容器６内に灌水された水を保持でき、植物の栽培に好適となる。
【００１４】
請求項５に記載の発明は、請求項３または４に記載の屋外構築物１において、
前記植栽容器６の底部（底面６ａ）に排水孔６ｆが形成されていることを特徴とする。
【００１５】
請求項５に記載の発明によれば、前記植栽容器６の底部に排水孔６ｆが形成されているので、余剰水を下方に落とすことができる。下方には前記多数の礫体３…が設けられているので、余剰水を無駄なく利用することができる。
【００１６】
請求項６に記載の発明は、住宅等の建物１０が構築される敷地内に、請求項１〜５のいずれか一項に記載の屋外構築物１が設置されてなる屋外構築物１の設置構造であって、
前記屋外構築物１は、前記敷地のうち、前記建物１０の開口部１１ａが形成された外壁１１に面する場所（例えばスペース１２，１３，１４）に配置されていることを特徴とする。
【００１７】
請求項６に記載の発明によれば、前記屋外構築物１は、前記敷地のうち、前記建物１０の開口部１１ａが形成された外壁１１に面する場所に配置されているので、気化熱により前記屋外構築物１の周囲の温度が下げられ、その温度の低い空気を、前記開口部１１ａを介して前記建物１０内に流入させることができる。これによって、特に夏場等において、比較的温度の低い外気を建物１０の内部に効率良く取り入れることができるので、快適な居住環境を形成できる。
【００１８】
請求項７に記載の発明は、請求項６に記載の屋外構築物１の設置構造において、
前記屋外構築物１と前記外壁１１との間に、保水性能を有する保水材からなる保水床部１５が設けられており、
前記保水床部１５には、前記本管４１から分岐される床部用分岐管４４が設けられていることを特徴とする。
【００１９】
請求項７に記載の発明によれば、前記屋外構築物１と前記外壁１１との間に、前記床部用分岐管４４が設けられた前記保水床部１５が設けられているので、前記屋外構築物１と共に周囲の温度を下げることができる。そして、比較的温度の低い外気を建物１０の内部へと流入させることができるので、より快適な居住環境を形成できる。
【００２０】
請求項８に記載の発明は、請求項６または７に記載の屋外構築物１の設置構造において、
前記敷地のうち前記屋外構築物１よりも、前記外壁１１に面する場所とは反対側に位置する屋外側の場所に、保水性能を有する保水材からなる保水床部１６が設けられており、
前記保水床部１６には、前記本管４１から分岐される床部用分岐管４５が設けられていることを特徴とする。
【００２１】
請求項８に記載の発明によれば、前記敷地のうち前記屋外構築物１よりも、前記外壁１１に面する場所とは反対側に位置する屋外側の場所に、前記床部用分岐管４５が設けられた保水床部１６が設けられているので、前記屋外構築物１と共に周囲の温度を下げることができる。そして、比較的温度の低い外気を建物１０の内部へと流入させることができるので、さらに快適な居住環境を形成できる。
【発明の効果】
【００２２】
本発明によれば、多数の礫体に水が当たっても周囲に飛び散りにくくなるとともに、網状容器の中央側から多数の礫体に水を染み渡らせることができ、効率が良く灌水することが可能となる。
【図面の簡単な説明】
【００２３】
【図１】屋外構築物であり、（ａ）は正断面図であり、（ｂ）は側断面図である。
【図２】植栽容器を示す平面図である。
【図３】灌水システムの概要および屋外構築物の設置構造を説明する図である。
【図４】屋外構築物の設置構造を説明する図である。
【図５】屋外構築物の設置構造を説明する図である。
【発明を実施するための形態】
【００２４】
以下、図面を参照して本発明の実施の形態について説明する。
図１等に示す屋外構築物１は、例えば門柱、門袖、塀、門柱、花壇、ベンチなど、住宅等における外構やエクステリアとして使用されるものであり、特に本実施の形態においては塀として使用されている。
屋外構築物１は、図１〜図３に示すように、網状容器２と、多数の礫体３…と、灌水手段４と、支柱５と、を備える。
【００２５】
網状容器２は、例えばステンレスやその他のスチール等の金属製の線状部材によって網目状に形成されている。網状容器２は、言い換えれば、当該線状部材によってカゴ状、メッシュ状に形成された容器である。
また、その形状やサイズは、屋外構築物１をどのような種類の外構やエクステリアとして使用するかによって任意である。
【００２６】
本実施の形態の網状容器２は、網目状に形成された複数のカゴ状部２ａを上下方向に積層させたものである。これら複数のカゴ状部２ａ同士は、例えば溶接などで溶着するか、または他の固着手段で連結されている。
また、本実施の形態においてカゴ状部２ａは上下四段に積層されている。なお、最上段のカゴ状部２ａには後述する植栽容器６が設けられるため、本実施の形態においては多数の礫体３…が充填されないものとする。
【００２７】
カゴ状部２ａは、線状部材からなる平面状の網状体によって形成される底面２ｂと、この底面２ｂの周縁部から上方に立ち上がり、かつ対向する二組の側面２ｃ，２ｄとによって構成されている。前記側面２ｃは、前記側面２ｄに比して幅広に形成されており、これにより、カゴ状部２ａは平面視矩形枠状に形成されている。また、このカゴ状部２ａの上面は開口している。
なお、本実施の形態のカゴ状部２ａは略直方体状に形成されるが、これに限られるものではなく、湾曲状やその他の形状に形成されていてもよい。また、本実施の形態では底面２ｂを備えるものとしたが、カゴ状部２ａが四角筒状となるように下面を開口していてもよい。
【００２８】
支柱５は、石材または例えばアルミニウムや鉄などの材料で形成され、その下端部５ａを地面に埋め込むことで移動不能に立設されている。より詳細には、地面の下にはコンクリート基礎５ｂが打設されており、支柱５の下端部５ａは当該コンクリート基礎５ｂに埋め込まれた状態となっている。さらに、コンクリート基礎５ｂは屋外構築物１の下にも設けられており、当該屋外構築物１は、このコンクリート基礎５ｂ上に安定的に設置されている。
網状容器２はこの支柱５に沿って設けられるとともに連結されている。支柱５は、地表に表れる部分の高さが網状容器２の高さよりも高く設定されている。
なお、この支柱５は、網状容器２の幅方向両端部に設けられていてもよい。また、網状容器２が自立できる場合には、支柱５を省略してもよい。
【００２９】
前記多数の礫体３…は、前記網状容器２内に充填されており、例えば火山岩を砕いた軽石や他の採石などからなり、保水性能および透水性能を有する。一つ一つの礫体３は形状が異なり、さらに網状容器２の網目よりも大きく、上下の開口部よりも小さいものを使用する。特に、本実施の形態の礫体３としては、多孔質で吸水性（保水性）に優れて比重が軽い軽石などを用いる。
なお、ここで「礫」とは、粒状のものよりも大きく、かつブロック等の塊状のものよりも小さく形成されたものを指している。また、本実施の形態の礫体３は、一つ一つの形状が異なるものとしたが、人工的に略同形状に加工したものを用いてもよい。
【００３０】
灌水手段４は、図１〜図３に示すように、前記多数の礫体３…への灌水を行うためのものであり、水の供給源４０と、本管４１と、分岐管４２と、植栽用分岐管４３と、第一床部用分岐管４４と、第二床部用分岐管４５と、を有する。
供給源４０については後述するが、例えば水道や生活排水、雨水等を始め様々な種類の水を採用することができる。
【００３１】
本管４１は、前記網状容器２の上下方向に沿って配置されるとともに前記供給源４０側に位置する。この本管４１は、大部分が例えば地中に配管されており、部分的に前記コンクリート基礎５ｂに埋設されている。
この本管４１のうち、前記網状容器２の上下方向に沿って配置される部分（地上管４１ａ）が地上に設けられている。すなわち、この本管４１の地上管４１ａは下方から上方に向かって伸びるように配管されている。
なお、この地上管４１ａの上端部にはソケット４１ｂが設けられる。また、この地上管４１ａの途中にはＴ字状の複数の継手４１ｃが設けられる。
【００３２】
前記地上管４１ａは、前記網状容器２を構成する複数のカゴ状部２ａを上下に貫挿されるようにして配管されている。すなわち、この地上管４１ａは、図１（ａ），（ｂ）に示すように、複数のカゴ状部２ａの網目に挿通されている。
また、この地上管４１ａは、網状容器２の幅方向一端部側（支柱５側、カゴ状部２ａの一方の側面２ｄ側）に配置されている。
【００３３】
分岐管４２は、図１（ａ）に示すように、前記本管４１から分岐され、網状容器２内において多数の礫体３…内に埋設されるようにして当該網状容器２の幅方向両端部間に配置されるものである。
すなわち、網状容器２の幅方向一端部に前記地上管４１ａが配管されており、分岐管４２は、地上管４１ａから横方向に、網状容器２の幅方向他端部（カゴ状部２ａの他方の側面２ｄ側）まで配管されている。
【００３４】
また、この分岐管４２は、本管４１の地上管４１ａの上下方向に間隔を空けて複数設けられている。すなわち、これら複数の分岐管４２は、前記Ｔ字状の複数の継手４１ｃによって前記本管４１の地上管４１ａに通水可能に接続されている。
分岐管４２には、当該分岐管４２の長さ方向に間隔を空けて複数の吐出部４２ａが設けられている。これら複数の吐出部４２ａには、水を吐出（または噴出）する吐出口４２ｂがそれぞれ形成されている。各吐出部４２ａに形成される吐出口４２ｂは、少なくとも下方向きに一つ設けられているものとするが、上向きの吐出口や横向きの吐出口が適宜形成されていてもよいものとする。
【００３５】
前記網状容器２の上端部には、上述のように植栽容器６が設けられている。すなわち、図１（ａ），（ｂ）に示すように、最上段のカゴ状部２ａに植栽容器６が設けられており、最上段のカゴ状部２ａには多数の礫体３…が充填されていない状態となっている。
これに伴って、灌水手段４は、前記本管４１から分岐され、端部４３ａが前記植栽容器６内に配置される前記植栽用分岐管４３を有している。
【００３６】
植栽容器６は、平面視矩形状に形成された底面６ａと、この底面６ａの周縁部から上方に立ち上がり、かつ対向する二組の側面６ｂ，６ｃとを備え、上面が開口している。前記側面６ｂは、前記側面６ｃに比して幅広に形成されている。
この植栽容器６は、最上段のカゴ状部２ａに収容されるようにして網状容器２の上端部に設けられている。この時、前記側面６ｂは、最上段のカゴ状部２ａの側面２ｃの内側に配置されることになり、前記側面６ｃは、最上段のカゴ状部２ａの側面２ｄの内側に配置されることになる。
また、側面６ｂ，６ｃの高さは、カゴ状部２ａの側面２ｃ，２ｄの高さよりも低く形成されている。すなわち、植栽容器６は、カゴ状部２ａに比して浅底に形成されている。
【００３７】
双方の前記側面６ｂ，６ｂの上端部のそれぞれには断面視フック状に形成された引掛部６ｄ，６ｄが一体形成されている。これら引掛部６ｄ，６ｄは、前記最上段のカゴ状部２ａの双方の側面２ｃ，２ｃの上端部に引掛けられる。
これにより、植栽容器６を、前記底面６ａを、最上段のカゴ状部２ａの底面２ｂから間隔を空けて、すなわち浮かせた状態で最上段のカゴ状部２ａに設置することができる。
【００３８】
図２に示すように、植栽容器６の底面６ａのうち、中央に前記植栽用分岐管４３を挿通させるための貫通孔６ｅが貫通形成され、その他の複数の箇所に複数の排水孔６ｆが貫通形成されている。
貫通孔６ｅには、植栽用分岐管４３が、当該植栽用分岐管４３の上端部４３ａが植栽容器６の中央付近に位置するようにして貫挿されている。
排水孔６ｆは、余剰水を排出するための孔である。なお、前記植栽容器６に植栽用土６ｇを直接入れる場合、この排水孔６ｆには、土の流出を防ぐための膜や網が設けられるものとする。
【００３９】
また、植栽容器６内には、図１に示すように、保水性能および透水性能を有する保水材７が設けられている。この保水材７には、前記植栽用分岐管４３から吐出される水を保水することができ、植栽容器６に植栽される植物の成長に貢献できる。また、透水性能も有するので、保水材７全体に水を染み渡らせることができる。
より詳細に説明すると、この保水材７は厚み（植栽容器６の深さの３分の１程度）のある板状体として形成されており、その底面が前記植栽容器６の底面６ａと略等しい面積とされている。
このような保水材７としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリート１０ａを固めたものが採用されている。
また、この他に、アスファルトを骨材同士の結合材として用いて固めたものも挙げられる。すなわち、保水性能および透水性能を有するものであればよい。
また、この保水材７の中央には、前記貫通孔６ｅに対向する貫通孔７ａが形成されており、この貫通孔７ａには植栽用分岐管４３の上端部４３ａを挿通することができる。
【００４０】
植栽用分岐管４３は、図１（ａ）に示すように、前記上端部４３ａと、複数の継手４３ｂと、ホース４３ｃと、を備える。
上端部４３ａは、上述のように植栽容器６内に挿入される部分であり、貫通孔６ｅ，７ａに挿通され、その上端が前記植栽容器６の中央に位置している。また、この上端部４３ａには図示しない吐出口が形成されており、この吐出口には土の流入を防ぐために適宜、網等が設けられている。
複数の継手４３ｂはＬ字状に形成されており、前記上端部４３ａとホース４３ｃとを通水可能に接続し、前記本管４１とホース４３ｃとを通水可能に接続している。本管４１とホース４３ｃとを接続する継手４３ｂは、前記本管４１の上端部に設けられたソケット４１ｂに連結される。
ホース４３ｃはフレキシブルホース（可撓性を有するホース）であり、前記複数の継手４３ｂ，４３ｂとともに前記本管４１と前記上端部４３ａとを接続している。これにより、ホース４３ｃによって本管４１と上端部４３ａとを接続した状態で、植栽容器６を持ち上げることができる。
また、植栽用分岐管４３は、植栽容器６の底面６ａと最上段のカゴ状部２ａの底面２ｂとの間の空間内に収容することができる。
【００４１】
本実施の形態の水の供給源４０は、図３に示すように、貯水タンクであり、この貯水タンク４０には、水道や生活排水、雨水等を始め様々な種類の水が貯留可能となっている。
より詳細に説明すると、貯水タンク４０には、水道管４０ａと、生活排水が通る排水管４０ｂと、竪樋から分岐する樋分岐管４０ｃとが接続されている。
水道管４０ａからは、任意のタイミングで水道水を貯水タンク４０内に貯留することができる。
排水管４０ｂには、ポンプ４０ｄが接続されている。また、このポンプ４０ｄにはタイマー４０ｅが接続されており、このタイマー４０ｅで管理しながら生活排水を貯水タンク４０に貯留することができる。なお、生活排水としては、例えば洗濯機や浴槽から排出される水が採用される。
樋分岐管４０ｃからは、雨天時に雨水を貯水タンク４０内に貯留することができる。竪樋は、樋分岐管４０ｃの部位で、当該樋分岐管４０ｃ（貯水タンク４０）側と、下端排水側に分岐している。
【００４２】
前記本管４１は、貯水タンク４０の底部に接続されている。本管４１が屋外構築物１に至る途中部分には、フィルター付きのポンプ４０ｆが接続されている。これによって、貯水タンク４０の水を濾過しながら屋外構築物１へと送ることができる。
さらに、フィルターポンプ４０ｆの先にはタイマー付きの電磁弁４０ｇが接続されており、タイマーによって時間管理をしながら水を屋外構築物１へと送ることができる。
【００４３】
なお、以上のように構成された水の供給源４０とその周囲の設備（前記水道管４０ａ等の各種配管やポンプ、タイマー等）を含むものが、屋外構築物１への灌水を行うための灌水システムとされている。
さらに、この灌水システムには、屋外構築物１の周囲の温度や湿度等をセンシングするセンサーや、センサーによるセンシング結果に基づいて前記電磁弁４０ｇやポンプ４０ｄ，４０ｆ等を制御する制御手段等を適宜設けてもよいものとする。
【００４４】
次に、以上のような屋外構築物１の設置構造について説明する。
すなわち、屋外構築物１は、図３〜図５に示すように、住宅等の建物１０が構築される敷地のうち、前記建物１０の開口部１１ａが形成された外壁１１に面する場所に配置されている。
【００４５】
敷地内には、前記建物１０が構築されるとともに、この建物１０に隣接して例えば庭やテラス、ポーチ、カーポート等のような比較的広いスペース１２，１３，１４がある。
また、このようなスペース１２，１３，１４は、建物１０の開口部１１ａが形成された外壁１１に面して設けられている。
【００４６】
図３に示す例では、スペース１２は庭とされており、スペース１３はカーポートとされている。
庭であるスペース１２は、前記屋外構築物１と前記外壁１１との間に位置しており、さらに当該庭１２には、保水性能を有する保水材からなる保水床部１５が設けられている。保水材は、前記保水材７と同様の材料が採用されており、保水床部１５は、人が歩いたり、重量物が載置されたりしても破損しない厚みおよび強度に設定されている。
【００４７】
また、保水床部１５には、前記本管４１から分岐される床部用分岐管４４（以下、第一床部用分岐管４４）が設けられている。
第一床部用分岐管４４は、図示しない継手を介して本管４１に接続されている。また、保水床部１５に対して広範に水が行き渡るように、第一床部用分岐管４４は、平面視において保水床部１５の縦横に配管されている。すなわち、この第一床部用分岐管４４は、本管４１側に位置する縦管４４ａと、この縦管４４ａの長さ方向間に間隔を空けて、かつ継手を介して縦管４４ａに通水可能に接続される複数の横管４４ｂとを有する。
【００４８】
カーポートであるスペース１３は、前記敷地のうち前記屋外構築物１よりも、前記外壁１１に面する場所とは反対側に位置する屋外側の場所に位置する。すなわち、このカーポート１３は、屋外構築物１の外側であって、敷地と道路との境界に隣接して設けられている。また、当該カーポート１３には、保水性能を有する保水材からなる保水床部１６が設けられている。保水材は、前記保水材７と同様の材料が採用されており、保水床部１６は、人が歩いたり、重量物（すなわち、車両）が載置（駐車）されたりしても破損しない厚みおよび強度に設定されている。
【００４９】
また、保水床部１６には、前記本管４１から分岐される床部用分岐管４５（以下、第二床部用分岐管４５）が設けられている。
第二床部用分岐管４５は、図示しない継手を介して本管４１に接続されている。また、保水床部１６に対して広範に水が行き渡るように、第二床部用分岐管４５は、平面視において保水床部１６の縦横に配管されている。すなわち、この第二床部用分岐管４５は、本管４１側に位置する縦管４５ａと、この縦管４５ａの長さ方向間に間隔を空けて、かつ継手を介して縦管４５ａに通水可能に接続される複数の横管４５ｂとを有する。縦管４５ａは、図示しないＴ字状の継手によって本管４１と接続されており、当該継手を介して前記地上管４１ａとも接続されている。
さらに、保水床部１６の表面には、芝等の植物が植栽されている。
【００５０】
保水床部１５，１６によれば、気化熱により当該保水床部１５，１６の周囲の温度が下げられ、その温度の低い空気を、前記開口部１１ａを介して前記建物１０内に流入させることができる。
さらに、屋外構築物１によっても、気化熱により当該屋外構築物１の周囲の温度が下げられ、その温度の低い空気を、前記開口部１１ａを介して前記建物１０内に流入させることができる。
【００５１】
図４，５に示す例では、スペース１４はテラスとされている。そして、このテラス１４の周囲に、複数の屋外構築物１が配置されている。
図４においては、三つの屋外構築物１，１，１が、テラス１４を挟んで前記外壁１１に対向して配置されている。また、これら三つの屋外構築物１，１，１は互いに間隔を空けて配置されている。
前記灌水手段４により前記屋外構築物１，１，１に灌水を行えば、その気化熱により当該屋外構築物１，１，１周囲の温度が相乗的に下げられることになる。このような状態で、三つの屋外構築物１，１，１の間を風が通り抜けるので、その温度の低い空気を、前記開口部１１ａを介して前記建物１０内に流入させることができる。
また、テラス１４の両側にも屋外構築物１を配置してもよい。すなわち、テラス１４の両側それぞれに屋外構築物１，１を配置すれば、当該両側の屋外構築物１，１と前記三つの屋外構築物１，１，１とによってテラス１４を取り囲むことができる。なお、両側の屋外構築物１，１は、平面視において前記三つの屋外構築物１，１，１と直交する方向に配置される。このように複数の屋外構築物１…によってテラス１４を取り囲むことによって、テラス１４内の温度をより効果的に下げることができるので、建物１０内に流入する空気もより低いものとなる。
【００５２】
図５においては、二つの屋外構築物１，１が、テラス１４を挟んで前記外壁１１に対して斜め向き（逆ハの字状）に配置されている。また、これら二つの屋外構築物１，１は互いに間隔を空けて配置されている。
前記灌水手段４により前記屋外構築物１，１に灌水を行えば、その気化熱により当該屋外構築物１，１周囲の温度が相乗的に下げられることになる。このような状態で、二つの屋外構築物１，１の間を風が通り抜けるので、その温度の低い空気を、前記開口部１１ａを介して前記建物１０内に流入させることができる。
この時、これら二つの屋外構築物１，１は、開口部１１ａに向かって徐々に細くなるようにして斜めに配置されているので、外壁１１に向かって吹く風を集めやすくなっているため、当該屋外構築物１，１によって温度が下げられた空気を、建物１０内に勢いよく流入させることができる。これによって、建物１０の奥まで温度の低い空気を送ることができる。
なお、図５に示す例においても、テラス１４の両側に屋外構築物１を配置してもよい。
【００５３】
また、図４，５に示す例において、屋外構築物１自体も、網目状の網状容器２と、この網状容器２に入れられた多数の礫体３…とを主体として構成されているので、網目や礫体３，３間を空気が通り抜けることになる。これによって、より相乗的に周囲の温度を下げることができるので、建物１０内により快適な居住環境を形成できることになる。
【００５４】
本実施の形態によれば、前記灌水手段４が、前記本管４１と、前記本管４１から分岐され、前記網状容器２内において前記多数の礫体３…内に埋設されるようにして当該網状容器２の幅方向両端部間に配置される分岐管４２と、を有するので、この分岐管４２から前記多数の礫体３…に向けて水を吐出することで前記網状容器２の内側から灌水を行うことができる。これによって、前記多数の礫体３…に水が当たっても周囲に飛び散りにくくなるとともに、前記網状容器２の中央側から前記多数の礫体３…に水を染み渡らせることができ、効率が良く灌水することが可能となる。
【００５５】
また、前記分岐管４２が、前記本管４１の上下方向に間隔を空けて複数設けられているので、屋外構築物１の上下方向にわたって、延いては前記多数の礫体３…に対して全体的に水を染み渡らせることができ、より効率が良くなる。
【００５６】
また、前記灌水手段４が、前記本管４１から分岐され、上端部が前記植栽容器６内に配置される植栽用分岐管４３を有するので、この植栽用分岐管４３によって前記植栽容器６内に確実に灌水できる。
【００５７】
また、前記植栽容器６内に、保水性能を有する保水材７が設けられているので、前記植栽容器６内に灌水された水を保持でき、植物の栽培に好適となる。
【００５８】
また、前記植栽容器６の底部に排水孔６ｆが形成されているので、余剰水を下方に落とすことができる。下方には前記多数の礫体３…が設けられているので、余剰水を無駄なく利用することができる。
【００５９】
また、前記屋外構築物１は、前記敷地のうち、前記建物１０の開口部１１ａが形成された外壁１１に面する場所に配置されているので、気化熱により前記屋外構築物１の周囲の温度が下げられ、その温度の低い空気を、前記開口部１１ａを介して前記建物１０内に流入させることができる。これによって、特に夏場等において、比較的温度の低い外気を建物１０の内部に効率良く取り入れることができるので、快適な居住環境を形成できる。
【００６０】
また、前記屋外構築物１と前記外壁１１との間に、前記第一床部用分岐管４４が設けられた前記保水床部１５が設けられているので、前記屋外構築物１と共に周囲の温度を下げることができる。そして、比較的温度の低い外気を建物１０の内部へと流入させることができるので、より快適な居住環境を形成できる。
【００６１】
また、前記敷地のうち前記屋外構築物１よりも、前記外壁１１に面する場所とは反対側に位置する屋外側の場所に、前記第二床部用分岐管４５が設けられた保水床部１６が設けられているので、前記屋外構築物１と共に周囲の温度を下げることができる。そして、比較的温度の低い外気を建物１０の内部へと流入させることができるので、さらに快適な居住環境を形成できる。
【符号の説明】
【００６２】
１  屋外構築物
２  網状容器
３  礫体
４  灌水手段
６  植栽容器
４０  供給源
４１  本管
４２  分岐管
【図１】
2014204685.tif 000003
【図２】
2014204685.tif 000004
【図３】
2014204685.tif 000005
【図４】
2014204685.tif 000006
【図５】
2014204685.tif 000007